(57)【要約】【課題】  パネル着脱機構、このパネル着脱機構を用いたディスク再生装置およびパネル用治具を提供すること。【解決手段】  本体部２０と、被係合部４３およびディスク挿入口５０を具備し、該被係合部４３を介して本体部２０に対する着脱が為されるパネル部材４０と、被係合部４３に係合する係合部７３を具備し、該係合部７３の被係合部４３に対する係合が為されることで、パネル部材４０の取り付け状態を維持すると共に、係合部７３の被係合部に対する係合が解かれることで、パネル部材４０の取り外しを可能とする、本体部２０に設けられるロック部材７０と、ディスク挿入口５０に設けられると共に、該ディスク挿入口５０におけるディスクの差し込み方向とは異なる方向に軸線方向が存在し、パネル部材４０の取り外しの際には、パネル用治具１００と係合する治具係合部５３と、を具備している。【選択図】  図１
2006318527.tif 000002
【特許請求の範囲】
【請求項１】
本体部と、
被係合部およびディスク挿入口を具備し、該被係合部を介して上記本体部に対する着脱が為されるパネル部材と、
上記被係合部に係合する係合部を具備し、該係合部の上記被係合部に対する係合が為されることで、上記パネル部材の取り付け状態を維持すると共に、上記係合部の上記被係合部に対する係合が解かれることで、上記パネル部材の取り外しを可能とする、上記本体部に設けられるロック部材と、
上記ディスク挿入口に設けられると共に、該ディスク挿入口におけるディスクの差し込み方向とは異なる方向に軸線方向が存在し、上記パネル部材の取り外しの際には、パネル用治具と係合する治具係合部と、
を具備することを特徴とするパネル着脱機構。
【請求項２】
前記治具係合部は、前記パネル用治具を差し込み可能な孔形状を具備する治具係合孔であることを特徴とする請求項１記載のパネル着脱機構。
【請求項３】
前記治具係合孔は、前記ディスク挿入口の幅方向に向かって延伸していることを特徴とする請求項２記載のパネル着脱機構。
【請求項４】
前記ロック部材は、板状部材であると共に、この板状部材は前記被係合部に対して、前記パネル部材の閉じ状態を維持する付勢力を与えることを特徴とする請求項１から３のいずれか１項に記載のパネル着脱機構。
【請求項５】
前記パネル部材のパネル面の裏面には、該パネル面から離間する向きに向かって突出する内方突出部が設けられていて、この内方突出部には、前記パネル部材の幅方向に沿って突出する前記被係合部が設けられていて、
該被係合部は、軸状部分であり、
前記板状部材は、前記本体部に設けられているシャーシに取り付けられていて、
この板状部材を折り曲げることにより、上記シャーシと前記板状部材との間には、隙間が設けられると共に、
上記シャーシには、上記軸状部分を係止させることが可能な係止部が設けられていて、
上記隙間と上記係止部との間には、上記軸状部分を入り込ませると共に該軸状部分を入り込ませた場合に上記板状部材が上記軸状部分に干渉する空間部が形成され、この空間部に上記軸状部分を入り込ませた状態で、上記軸状部分には、前記板状部材によって前記付勢力が与えられる、
ことを特徴とする請求項４記載のパネル着脱機構。
【請求項６】
前記板状部材のうち、前記パネル面側の端部には、該パネル面に向かうと共に前記シャーシから離間する方向に延伸する係合ガイド部が設けられていることを特徴とする請求項５記載のパネル着脱機構。
【請求項７】
請求項１から６のいずれか１項に記載のパネル着脱機構を備えることを特徴とするパネル着脱機構を用いたディスク再生装置。
【請求項８】
請求項１から６のいずれか１項に記載のパネル着脱機構が備える前記パネル部材を前記本体部から取り外すためのパネル用治具であり、
前記治具係合部に係合すると共に、該治具係合部との係合状態において前記治具係合部の軸線方向に沿う軸線を有するパネル係合部と、
前記パネル係合部の前記治具係合部への係合状態において、前記ディスク挿入口から突出している把持部と、を具備することを特徴とするパネル用治具。
【請求項９】
前記パネル係合部と前記把持部との間には、該パネル係合部と前記治具係合部との間の係合状態の解除状態を維持するためのストッパ部材が係止可能に設けられていることを特徴とする請求項８記載のパネル用治具。
【発明の詳細な説明】
【技術分野】
【０００１】
本発明は、パネル着脱機構、このパネル着脱機構を用いたディスク再生装置およびパネル用治具に関する。
【背景技術】
【０００２】
カーオーディオ、カーナビゲーションのようなディスク再生装置の中には、治具（パネル用治具）を用いて本体部からパネル部材（操作パネル等）を取り外し可能なタイプが存在する。このタイプのディスク再生装置のパネル部材１付近の部分概略を、図９に示す。図９に示すディスク再生装置においては、パネル部材１の表面から裏面を貫く孔部２が形成されていて、この孔部２にパネル用治具３を差し込み可能となっている。また、パネル部材１の裏面のうち、孔部２の近傍には、ディスク再生装置の内部側に向かって突出する内方突出部４が設けられていて、この内方突出部４に保持軸５が設けられている。保持軸５には、本体部６に回動自在に固定されているロックアーム７の鉤状部８が係止するように設けられている。
【０００３】
このロックアーム７と本体部６の間には、バネ９が取り付けられている。バネ９は、ロックアーム７に対して、保持軸５と干渉する向きの付勢力（図９においては、時計回りの付勢力）を与えるように設けられている。それにより、鉤状部８は、保持軸５を本体部６の内部側に向けて引き込む向きの付勢力を与えている。
【０００４】
なお、このようなディスク再生装置に類似する、治具を用いてパネルを取り外す構成に類似する例としては、特許文献１に開示されている技術がある。また、孔部に治具を挿入して、部材を取り外す例としては、特許文献２および３に開示されている技術がある。
【０００５】
【特許文献１】特開平７−２５７２８７号公報（要約、図１、図２参照）
【特許文献２】特公平７−６９９４６号公報（図２他参照）
【特許文献３】特開２００３−２４０１５８号公報（要約、図４等参照）
【発明の開示】
【発明が解決しようとする課題】
【０００６】
ところで、上述の構成においては、パネル用治具３を挿入する孔部２が、パネル部材１の表面に露出しているため、デザイン上好ましくない、という問題がある。すなわち、パネル用治具３を挿入するためには、孔部２の直径をある程度大きくする必要があるが、かかる大きな直径を有する孔部２は、ディスク再生装置のデザイン上必要なものではなく、逆に存在しない方が好ましい。
【０００７】
また、デザイン的な問題から、孔部２を隠すことも考えられるが、この場合には、パネル部材１に別途目隠し板を取り付ける必要がある。しかしながら、目隠し板を取り付ける場合、その目隠し板の分だけ、コストが上昇するものとなっている。加えて、パネル部材に目隠し板を取り付ける場合、その分だけ工数も増加する、という問題もある。
【０００８】
なお、上述の特許文献１〜３のいずれに開示されている技術を用いても、これらの課題を図ることが困難である。
【０００９】
本発明は上記の事情にもとづきなされたもので、その目的とするところは、パネル取り外しのために治具を挿入する孔部を目立たなくすることが可能なパネル着脱機構、このパネル着脱機構を用いたディスク再生装置およびパネル用治具を提供しよう、とするものである。
【課題を解決するための手段】
【００１０】
上記課題を解決するために、本発明は、本体部と、被係合部およびディスク挿入口を具備し、該被係合部を介して本体部に対する着脱が為されるパネル部材と、被係合部に係合する係合部を具備し、該係合部の被係合部に対する係合が為されることで、パネル部材の取り付け状態を維持すると共に、係合部の被係合部に対する係合が解かれることで、パネル部材の取り外しを可能とする、本体部に設けられるロック部材と、ディスク挿入口に設けられると共に、該ディスク挿入口におけるディスクの差し込み方向とは異なる方向に軸線方向が存在し、パネル部材の取り外しの際には、パネル用治具と係合する治具係合部と、を具備するものである。
【００１１】
また、他の発明は、上述の発明に加えて更に、治具係合部は、パネル用治具を差し込み可能な孔形状を具備する治具係合孔としたものである。
【００１２】
さらに、他の発明は、上述の各発明に加えて更に、治具係合孔は、ディスク挿入口の幅方向に向かって延伸しているものである。
【００１３】
また、他の発明は、上述の各発明に加えて更に、ロック部材は、板状部材であると共に、この板状部材は被係合部に対して、パネル部材の閉じ状態を維持する付勢力を与えるものである。
【００１４】
さらに、他の発明は、上述の各発明に加えて更に、パネル部材のパネル面の裏面には、該パネル面から離間する向きに向かって突出する内方突出部が設けられていて、この内方突出部には、パネル部材の幅方向に沿って突出する被係合部が設けられていて、該被係合部は、軸状部分であり、板状部材は、本体部に設けられているシャーシに取り付けられていて、この板状部材を折り曲げることにより、シャーシと板状部材との間には、隙間が設けられると共に、シャーシには、軸状部分を係止させることが可能な係止部が設けられていて、隙間と係止部との間には、軸状部分を入り込ませると共に該軸状部分を入り込ませた場合に板状部材が軸状部分に干渉する空間部が形成され、この空間部に軸状部分を入り込ませた状態で、軸状部分には、板状部材によって付勢力が与えられるものである。
【００１５】
また、他の発明は、上述の発明に加えて更に、板状部材のうち、パネル面側の端部には、該パネル面に向かうと共にシャーシから離間する方向に延伸する係合ガイド部が設けられているものである。
【００１６】
さらに、他の発明は、上述のパネル着脱機構に係る各発明を、ディスク再生装置に適用したものである。
【００１７】
また、他の発明は、上述の各発明に加えて更に、上述のパネル着脱機構に係る各発明が備えるパネル部材を本体部から取り外すためのパネル用治具であり、治具係合部に係合すると共に、該治具係合部との係合状態において治具係合部の軸線方向に沿う軸線を有するパネル係合部と、パネル係合部の治具係合部への係合状態において、ディスク挿入口から突出している把持部と、を具備するものである。
【００１８】
さらに、他の発明は、上述の各発明に加えて更に、パネル係合部と把持部との間には、該パネル係合部と治具係合部との間の係合状態の解除状態を維持するためのストッパ部材が係止可能に設けられているものである。
【発明の効果】
【００１９】
本発明によると、パネル取り外しのために治具を挿入する孔部を目立たなくすることが可能となる。
【発明を実施するための最良の形態】
【００２０】
以下、本発明の一実施の形態に係るパネル着脱機構１１、このパネル着脱機構１１を用いたディスク再生装置１０およびパネル用治具１００について、図１から図８に基づいて説明する。図１は、操作パネル４０のうち、ディスク挿入口５０とパネル用治具１００との関係を示す部分的な斜視図である。また、図２は、本発明の一実施の形態に係るディスク再生装置１０のうち、操作パネル４０を前面側に配置すると共に該操作パネル４０の閉じ状態を示す斜視図である。さらに、図３は、操作パネル４０を前面側に配置すると共に挿入パネルを用いて操作パネル４０のロック状態を解除した状態を示す斜視図である。
【００２１】
なお、以下の説明においては、手前側とは、閉じ状態にある操作パネル４０（図２等参照）が開く側（本体部２０から離間する側）を指し、奥側とはこれとは逆の閉じる側を指す。また、奥行き方向とは図２の矢示Ｙ方向を指し、上下方向（縦方向）とは図２の矢示Ｚ方向を指し、横方向（幅方向）とは閉じ状態にある操作パネル４０の長手方向（図２の矢示Ｘ方向）を指す。また、下側とは、操作パネル４０の回動支点がある側を指し、上側とは、これとは逆に操作パネル４０の回動の外周側を指す。
【００２２】
図２に示すように、ディスク再生装置１０は、本体部２０と、この本体部２０に対して着脱自在に設けられている操作パネル４０と、を具備している。これらのうち、操作パネル４０は、そのパネル面４０ａに、各種操作ボタン４１を有している。また、本実施の形態では、操作パネル４０以外に、ＬＣＤパネル６０が設けられている。ＬＣＤパネル６０は、例えばタッチパネルであり、各種文字情報／画像情報を表示すると共に、ユーザが触れることにより各種操作を行うことを可能としている。
【００２３】
かかる操作パネル４０がロックされる／ロックの解除が為される本体部２０には、ディスク用開口部２１が設けられている。ディスク用開口部２１は、本体部２０の内部に、例えばＣＤ等のディスク（不図示）を挿入するための部分である。また、図１〜図３に示すように、パネル部材としての操作パネル４０には、ディスク挿入口５０が設けられている。ディスク挿入口５０は、上述のディスク用開口部２１と連通するように設けられている。ここで、ディスク挿入口５０の詳細について、図１に基づいて説明する。ディスク挿入口５０には、ディスクガイド５１が設けられている。ディスクガイド５１は、手前側から奥側に向かって、ディスクの挿入をガイドする部分である。かかるガイドを行うため、ディスクガイド５１は、その表面から裏面側に向かうに従って、高さ寸法が狭まるように構成されている。また、ディスク挿入口５０の奥側には、開口部５２が設けられている。開口部５２は、上述した本体部２０側のディスク用開口部２１と連通していて、ディスクを本体部２０の内部に挿入可能となっている。
【００２４】
また、開口部５２のうち、幅方向の両端側には、治具係合部としての治具係合孔５３が設けられている。治具係合孔５３は、開口部５２の奥側の縁部から手前側に向かうように、ディスクガイド５１を切り欠くことにより形成されている。ここで、治具係合孔５３は、その側面形状が略半円形状に設けられている。すなわち、治具係合孔５３は、開口部５２の奥側の縁部が開放して設けられている。そして、この奥側の縁部から、手前側に向かうにつれて、所定の曲率で弧状を描くように形成されている。それにより、後述するパネル用治具１００の挿入端部が、この治具係合孔５３に挿入可能となっている。
【００２５】
次に、操作パネル４０の、本体部２０に着脱させるための部分について、図４および図５に基づいて説明する。図４に示すように、操作パネル４０には、内方側（奥側）に向かって突出する内方突出部４２が設けられている。この内方突出部４２には、被係合部および軸状部分に対応するロック用軸４３が設けられている。ロック用軸４３は、操作パネル４０のうち、幅方向に向かって所定の長さだけ突出している。このロック用軸４３は、操作パネル４０の一箇所のみに存在する構成としても良いが、本実施の形態では、操作パネル４０の装着時の安定性等の観点から、該操作パネル４０の長手方向の両端付近にそれぞれ配置されている。
【００２６】
なお、図５に示すように、内方突出部４２は、本実施の形態では、近接対向する状態で、操作パネル４０の両端付近に、それぞれ一対ずつ配置されている。すなわち、ロック用軸４３の両端は、それぞれ内方突出部４２に取り付けられている。
【００２７】
また、本体部２０には、シャーシ２２が固定的に取り付けられている。シャーシ２２は、本体部２０の内部において、その奥行き方向に向かって延伸している。このシャーシ２２のうち、操作パネル４０に近接する手前側の部分には、係止突起２３が設けられている。係止突起２３は、操作パネル４０のロック時に、ロック用軸４３の規定以上の奥行き側への入り込みを防止するための突起である。
【００２８】
また、シャーシ２２には、ビス７５により、ロック部材および板状部材としてのロック板７０が取り付けられている。ロック板７０は、図４に示すように、取付固定部７１と、延伸部７２と、係合部７３と、係合ガイド部７４とを有している。これらのうち、取付固定部７１は、ビス７５により固定される部分である。また、延伸部７２は、取付固定部７１の他端側から延伸している部分であり、取付固定部７１に対して所定の角度だけ折れ曲がった状態で延伸している部分である。そのため、取付固定部７１がシャーシ２２に取り付けられた状態では、延伸部７２は、シャーシ２２から離間するように設けられている。なお、ロック板７０は、板バネとして機能する。ここで、本実施の形態では、パネル用治具１００を用いて操作パネル４０のロック解除を行う関係上、ロック板７０のバネ係数は高めに設けられている。そのため、ロック板７０は、操作パネル４０に対する閉じ状態を長期に亘って維持可能となっており、操作パネル４０のロック解除に際しては、パネル用治具１００を用いる構成となっている。
【００２９】
また、係合部７３は、延伸部７２の他端側から延伸している部分であり、シャーシ２２に対する取り付け状態においてシャーシ２２側に向かう角度で折れ曲がっている部分である。この係合部７３は、上述したロック用軸４３と係合する部分である。すなわち、ロック板７０が、ロック用軸４３に対して、付勢力を及ぼしながら当接することにより、操作パネル４０の閉じ状態を維持可能となっている。なお、以下の説明においては、シャーシ２２の裏面と、ロック板７０とで囲まれた部分を隙間Ｓとする。また、シャーシ２２と、係止突起２３と、係合部７３と、延伸部７２とで囲まれた部分を、空間部Ｐとする。
【００３０】
さらに、係合ガイド部７４は、係合部７３の他端側から延伸している部分であり、シャーシ２２に対する取り付け状態においてシャーシ２２から離間しつつ手前側に向かう角度で折れ曲がっている部分である。この係合ガイド部７４は、操作パネル４０の取り付け時に、ロック用軸４３と係合する部分である。
【００３１】
ここで、ロック板７０のシャーシ２２に対する取り付け状態において、係合部７３と係合ガイド部の境界部分Ｑとシャーシ２２との間の間隔寸法ａは、ロック用軸４３の直径寸法ｂよりも小さく設けられている。そのため、操作パネル４０のロック時においては、ロック用軸４３は、この境界部分Ｑを通過するために、ロック板７０を弾性的に変形させつつ、空間部Ｐに入り込む。そして、この空間部Ｐに入り込んだ後に、ロック用軸４３は、ロック板７０の付勢力により係止突起２３に当接する向きの付勢力を受ける。この付勢力により、ロック用軸４３の奥側が係止突起２３へ当接すると共に、係合部７３がロック用軸４３の手前側の部分に付勢力を及ぼす状態で当接する。それにより、ロック用軸４３は、空間部Ｐに入り込んだ状態が維持され、操作パネル４０のロック状態が維持される。
【００３２】
続いて、パネル用治具１００に関して説明する。図６に示すように、パネル用治具１００は、曲折部材１１０と、ストッパ部材１２０と、を有している。これら曲折部材１１０とストッパ部材１２０とは、それぞれ、例えば鋼線を折り曲げる等により形成される。これらのうち、曲折部材１１０は、その両端部にパネル係合部に対応する孔挿入部１１１を有している。孔挿入部１１１は、上述した治具係合孔５３に挿入される部分であり、図６の中心線Ｌから離間する外方側に向かい、幅方向に沿って延伸している。なお、孔挿入部１１１の長さ寸法は、治具係合孔５３に係止可能な長さ寸法に設定されている。
【００３３】
この孔挿入部１１１の他端側から、順次、第１曲折部１１２、第２曲折部１１３、手前延伸部１１４が連続している。これらのうち、第１曲折部１１２は、孔挿入部１１１に対して略直角を成していて、奥行き方向に延伸している。また、第２曲折部１１３は、孔挿入部１１１と略平行を為すように設けられている。さらに、手前延伸部１１４は、奥行き方向に延伸している部分である。一対の手前延伸部１１４の幅寸法は、一対の孔挿入部１１１から離間するにつれて、徐々に大きくなるように設けられている。また、一対の手前延伸部１１４の他端側には、それぞれ把持部１１５が連続している。把持部１１５は、作業者が把持する部分である。この把持部１１５は、上述した孔挿入部１１１と略平行を為すように設けられている。
【００３４】
なお、かかる孔挿入部１１１、第１曲折部１１２、第２曲折部１１３、手前延伸部１１４および把持部１１５より構成される曲折部材１１０は、付勢力を及ぼすことが可能となるように弾性的に設けられていて、撓ませることが可能となっている。この場合、曲折部材１１０の付勢力により、通常は、後述する長孔部１２２の外側の端部１２２ａ（図７参照）に第１曲折部１１２が押し付けられる状態となっている。
【００３５】
ここで、ディスク挿入口５０のうち、治具係合孔５３にパネル用治具１００が係合している状態では、第１曲折部１１２の長さ寸法は、該治具係合孔５３からディスク挿入口５０の開口部分までの長さ寸法よりも大きく設けられている。しかしながら、第１曲折部１１２の長さ寸法は、さほど長くは設定されておらず、本体部２０のディスク用開口部２１からの第１曲折部１１２の入り込みが制限されている。そのため、パネル用治具１００がディスク挿入口５０から差し込まれると、第２曲折部１１３がディスク挿入口５０の外周縁部に当接し、それ以上の入り込みが制限されるように構成されている。
【００３６】
また、図７に示すように、ストッパ部材１２０は、その一端側に丸孔部１２１を有している。丸孔部１２１は、ストッパ部材１２０を構成する鋼線の一端側を、丸めることにより形成される。この丸孔部１２１は、上述した曲折部材１１０を構成する鋼線の直径に対応した大きさを有している。すなわち、丸孔部１２１に曲折部材１１０（特に手前延伸部１１４）を挿通させた状態においては、ストッパ部材１２０は、丸孔部１２１で係止されることなく、曲折部材１１０に対して摺動可能に設けられている。
【００３７】
また、ストッパ部材１２０の他端側には、長孔部１２２が設けられている。長孔部１２２も、上述の丸孔部１２１と同様に、ストッパ部材１２０を構成する鋼線の他端側を曲げる等の加工を施すことにより形成される。また、長孔部１２２も、曲折部材１１０を構成する鋼線の直径に対応した幅寸法を有している。そのため、長孔部１２２に曲折部材１１０（特に手前延伸部１１４）を挿通させた状態においては、ストッパ部材１２０は、長孔部１２２で係止されることなく、曲折部材１１０に対して摺動可能に設けられている。
【００３８】
ここで、長孔部１２２と他の部分との寸法の関係について説明する。曲折部材１１０を撓ませて、第１曲折部１１２が長孔部１２２の内側の端部１２２ｂに接触している状態においては、一対の孔挿入部１１１の先端側を結ぶ間の寸法は、一対の治具係合孔５３を結ぶ長さ寸法よりも小さく設けられている。そのため、第１曲折部１１２が内側の端部１２２ｂに接触している状態にすると、ディスクガイド５１から孔挿入部１１１を挿入することができ、開口部５２の両端に存在する治具係合孔５３に孔挿入部１１１を差し込むことが可能となっている。
【００３９】
また、第１曲折部１１２が長孔部１２２の外側の端部１２２ａに接触している状態においては、一対の孔挿入部１１１の先端側を結ぶ間の寸法は、一対の治具係合孔５３を結ぶ長さ寸法よりも大きく設けられている。ここで、曲折部材１１０は、一対の第１曲折部１１２が互いに離間する向きに向かう付勢力を生じさせるため、治具係合孔５３に孔挿入部１１１が差し込まれる場合、第１曲折部１１２は、治具係合孔５３の周縁部に対して付勢力を及ぼす状態で当接する。このとき、第１曲折部１１２は、外側の端部１２２ａよりも内側の端部１２２ｂ寄りの部位に存在する状態となっている。
【００４０】
ここで、丸孔部１２１と外側の端部１２２ａの間の寸法は、一対の手前延伸部１１４の間の幅寸法のうち、第２曲折部１１３寄りの部位よりも、若干大きく設けられている。しかしながら、一対の手前延伸部１１４の間の幅寸法は、把持部１１５に向かうにつれて、徐々に大きくなっており、ストッパ部材１２０を把持部１１５側に向けてスライドさせれば、孔挿入部１１１同士が近づく向きに、曲折部材１１０を撓ませることが可能となっている。
【００４１】
以上のような構成のパネル着脱機構１１において、上述のパネル用治具１００を用いて操作パネル４０を取り外す場合の手順について、以下に説明する。
【００４２】
作業者が操作パネル４０を取り外す場合、ディスク挿入口５０に対して、パネル用治具１００の孔挿入部１１１から挿入する。この場合、作業者は、手前延伸部１１４が互いに近づくように、手で曲折部材１１０を撓ませる。このとき、ストッパ部材１２０を把持部１１５側に向けてスライドさせるようにしても良い。
【００４３】
曲折部材１１０を十分に撓ませ、ディスク挿入口５０に孔挿入部１１１を挿入可能となった状態で、該孔挿入部１１１をディスク挿入口５０の奥側に向けて進行させる。そして、治具係合孔５３に孔挿入部１１１を係合させる。このとき、作業者は、ストッパ部材１２０のスライド等により、曲折部材１１０を撓ませている状態を解除する。すると、第１曲折部１１２が付勢力を及ぼす状態で、治具係合孔５３の近傍に位置するディスクガイド５１の内壁面に当接する。なお、ストッパ部材１２０をスライドさせずに、作業者が手により曲折部材１１０を撓ませている場合には、手を離す等により、曲折部材１１０を撓ませている状態を解除する。
【００４４】
また、両治具係合孔５３に孔挿入部１１１が係合すると、図１に示す状態となり、孔挿入部１１１が治具係合孔５３の内壁と係合する状態となる。この状態で、作業者が曲折部材１１０のうち把持部１１５等を把持し、手前側に向けて曲折部材１１０を引っ張る。すると、操作パネル４０が不図示の回動軸を中心として、手前側に向かって回動しようとする。この場合、ロック用軸４３も手前側に向かって移動（回動）しようとするため、該ロック用軸４３はロック板７０（図４等参照）の付勢力に抗してロック板７０を撓ませ、境界部分Ｑを通過する。それにより、操作パネル４０のロック状態が解除され、回動軸を中心として操作パネル４０を手前に向けて倒すようにして、回動させることが可能となる。
【００４５】
かかる回動が十分になされた後に、不図示の回動軸を、本体部２０側に存在する不図示の軸受部から外す等すれば、操作パネル４０を本体部２０から取り外すことが可能となる。
【００４６】
また、操作パネル４０を本体部２０に対して取り付ける場合には、最初に不図示の軸受部に対して回動軸を取り付けると共に、操作パネル４０を閉じ方向に向けて回動させる。そして、ロック用軸４３が係合ガイド部７４に当接するが、その当接状態からさらに操作パネル４０を回動させ、ロック用軸４３を奥側に向けて押し込むと、ロック板７０がシャーシ２２から離れる向きに向かって撓む。かかる撓みにより、境界部分Ｑの寸法が、ロック用軸４３の直径と同じ程度になると、ロック用軸４３は、空間部Ｐに入り込むことが可能となる。この場合、ロック用軸４３が僅かでも空間部Ｐに入り込むと、ロック用軸４３は、ロック板７０の撓みに抗する付勢力により、係合部７３に当接すると共に、該係合部７３に押される状態で空間部Ｐの内部に、さらに入り込んでいく。
【００４７】
かかる入り込みが継続すると、ロック用軸４３は、係止突起２３に係止する状態となる。それにより、ロック用軸４３は、その奥側が係止突起２３に係止される。これと共に、ロック用軸４３は、その手前側が係合部７３により、ロック板７０の付勢力が及ぼされた状態で押さえ付けられる。このようにして、ロック用軸４３が奥行き方向に移動するのが規制され、操作パネル４０のロック状態となる。
【００４８】
このような構成のパネル着脱機構１１、このパネル着脱機構１１を用いたディスク再生装置１０およびパネル用治具１００によれば、治具係合孔５３に対してパネル用治具１００の孔挿入部１１１が挿入され、両者が係合状態となる。ここで、治具係合孔５３は、ディスク挿入口５０の奥側に位置し、しかもその治具係合孔５３の軸線方向が、奥行き方向に対して略垂直を為す状態となっている。このため、治具係合孔５３が、ユーザの目につき難くなり、デザイン上、好ましいものとなる。すなわち、デザイン上不要な治具係合孔５３が、ユーザの目に入り込むのを防ぐことが可能となる。
【００４９】
また、治具係合孔５３がユーザの目に入り込むのを防止することができるため、該治具係合孔５３を隠すための目隠し板等が不要となる。このため、部品点数を少なくすることが可能となり、その分だけコストの低減を図ることが可能となる。また、目隠し板を省けることにより、該目隠し板の取り付けに要する工数も削減することができ、その分だけコストを削減すると共に生産効率を向上させることが可能となる。
【００５０】
また、本実施の形態では、パネル用治具１００を用いた操作パネル４０の取り外しを行うために、孔形状の治具係合孔５３を採用している。このため、孔形状ではなく突起等を採用する場合と比較して、パネル用治具１００の孔挿入部１１１を差し込み易く、該差し込みによる係合で、操作パネル４０を簡単に外すことが可能となる。
【００５１】
さらに、ロック板７０は板バネであるため、ロック用軸４３には、付勢力が与えられ、この付勢力によって操作パネル４０の閉じ状態を維持することが可能となる。特に、ロック板７０の折り曲げにより、操作パネル４０のロック時には、シャーシ２２とロック板７０との間に存在する境界部分Ｑを通過する必要があるため、ロック板７０は、操作パネル４０のロック時には、係合部７３を介して、ロック用軸４３に対して確実に付勢力を与えることが可能となる。
【００５２】
また、シャーシ２２には、係止突起２３が設けられている。そして、ロック用軸４３は、空間部Ｐに入り込んだ後に係止突起２３に当接する状態で、ロック板７０から付勢力を受ける。そのため、操作パネル４０の閉じ状態を良好に維持することができると共に、操作パネル４０のガタ付きを抑えることが可能となる。
【００５３】
さらに、ロック板７０には、係合ガイド部７４が設けられていて、ロック用軸４３は、この係合ガイド部７４によって空間部Ｐへの入り込みがガイドされる。それにより、操作パネル４０の閉じ動作を滑らかに行うことが可能となる。
【００５４】
また、本実施の形態では、パネル用治具１００は、治具係合孔５３に孔挿入部１１１を挿入し、把持部１１５を把持して手前側に引くだけで容易に操作パネル４０のロック状態を解除することが可能となる。それにより、操作パネル４０のロック解除の作業を容易に行うことが可能となる。また、孔挿入部１１１は、治具係合孔５３への挿入状態において、該治具係合孔５３の軸線方向（ディスク挿入口５０の幅方向）に沿うように設けられている。そのため、孔挿入部１１１を治具係合孔５３に入れ易くなり、操作パネル４０のロック状態を容易に解除させることが可能となる。
【００５５】
また、パネル用治具１００は、ストッパ部材１２０を具備している。このため、ストッパ部材１２０を手前延伸部１１４に沿ってスライドさせることにより、一対の孔挿入部１１１の間の間隔を調整し、該調整した間隔を維持することが可能となり、治具係合孔５３に孔挿入部１１１を挿入する際の作業性を向上させることが可能となる。
【００５６】
また、パネル用治具１００は、第２曲折部１１３を具備し、この第２曲折部１１３がディスク挿入口５０の縁部に当接可能となっている。このため、孔挿入部１１１が挿入され過ぎて、本体部２０の内部機器とぶつかるのを防止することが可能となり、パネル用治具１００による内部機器の破損を防止することが可能となる。
【００５７】
以上、本発明の一実施の形態について説明したが、本発明はこれ以外にも種々変形可能となっている。以下、それについて述べる。
【００５８】
上述の実施の形態では、ロック部材として、ロック板７０を用いた場合について説明している。しかしながら、ロック部材は、ロック板７０には限られない。すなわち、ロック部材としては、例えばテーパ部を有する部材と、バネ等の弾性部材を利用する構成であれば、どのように構成しても良い。例えば、バネを弦巻状のバネとしても良い。また、板状部材は、ロック板７０以外の形状を具備する、付勢力を備えた板状の部材を利用しても良い。
【００５９】
また、上述の実施の形態では、被係合部として、ロック用軸４３を用いた場合について説明している。しかしながら、被係合部は軸状のロック用軸４３には限られない。例えば、内方突出部４２に鉤状部を形成し、この鉤状部を被係合部としても良い。
【００６０】
また、上述の実施の形態では、治具係合部を治具係合孔５３として説明している。しかしながら、治具係合部は、孔形状の治具係合孔５３に限られず、溝形状等の窪みを有する形状であれば、どのような形状を採用しても良い。
【００６１】
また、上述の実施の形態では、パネル用治具は、曲折部材１１０とストッパ部材１２０とを備えるパネル用治具１００を採用している。しかしながら、パネル用治具としては、これら以外の構成を採用しても良く、例えばストッパ部材１２０を省略する構成を採用しても良い。また、曲折部材１１０も、孔挿入部１１１を具備するものであれば、どのような構成を採用しても良く、例えば第１曲折部１１２、第２曲折部１１３および手前延伸部１１４が存在しない構成を採用しても良い。
【００６２】
さらに、上述の実施の形態では、治具係合孔５３は、その軸線方向がディスク挿入口５０の幅方向に沿って設けられている。しかしながら、治具係合孔５３の軸線方向は、ディスク挿入口５０の幅方向に必ずしも沿う必要はなく、該幅方向から治具係合孔５３の軸線方向がずれるようにしても良い。同様に、パネル用治具１００の孔挿入部１１１も、治具係合孔５３への差込状態において、ディスク挿入口５０の幅方向からずれるように設けても良い。
【００６３】
また、上述の実施の形態では、パネル着脱機構１１が、ディスク再生装置１０に適用された場合について説明している。ここで、ディスク再生装置１０としては、音響装置、カーナビゲーション装置、ＤＶＤ再生装置、パーソナルコンピュータ等の、映像／音声等の再生を行う装置であれば、どのような装置であっても良い。また、上述のパネル着脱機構１１が用いられる装置は、ディスク再生装置１０には限られない。ディスク再生装置１０以外の装置としては、例えば、ビデオ再生装置、電話／ファックス等の通信機器等があり、各種の電気機器に適用可能である。
【産業上の利用可能性】
【００６４】
本発明のディスク再生装置およびパネル着脱機構は、自動車用の音響装置関連の分野において利用することができる。また、パネル着脱機構は、各種電気機器の分野において利用することができる。
【図面の簡単な説明】
【００６５】
【図１】本発明の一実施の形態に係るディスク再生装置のうち、パネル着脱機構に係る部分を模式的に示す斜視図である。
【図２】図１のディスク再生装置の全体構成を示すと共に、操作パネルの閉じ状態を示す斜視図である。
【図３】図１のディスク再生装置の全体構成を示すと共に、操作パネルのロック解除状態を示す斜視図である。
【図４】図１のディスク再生装置において、ロック板およびロック用軸を中心とする構成を示す側断面図である。
【図５】図１のディスク再生装置において、ロック板およびロック用軸を中心とする構成を示す正面図である。
【図６】図１のディスク再生装置の操作パネルのロック状態を解除する際に用いられるパネル用治具の形状を示す平面図である。
【図７】図６のパネル用治具の形状を示す正面図である。
【図８】図６のパネル用治具の形状を示す側面図である。
【図９】従来のパネル着脱機構における操作パネルのロック解除の概略構成を示す部分的な側断面図である。
【符号の説明】
【００６６】
１０…ディスク再生装置
１１…パネル着脱機構
２０…本体部
２１…ディスク用開口部
２２…シャーシ
４０…操作パネル（パネル部材に対応）
４２…内方突出部
４３…ロック用軸（被係合部および軸状部分に対応）
５０…ディスク挿入口
５３…治具係合孔（治具係合部に対応）
６０…ＬＣＤパネル
７０…ロック板（ロック部材および板状部材に対応）
７３…係合部
７４…係合ガイド部
１００…パネル用治具
１１０…曲折部材
１１１…孔挿入部（パネル係合部に対応）
１１４…手前延伸部
１１５…把持部
１２０…ストッパ部材
１２１…丸孔部
１２２…長孔部
【図１】
2006318527.tif 000003
【図２】
2006318527.tif 000004
【図３】
2006318527.tif 000005
【図４】
2006318527.tif 000006
【図５】
2006318527.tif 000007
【図６】
2006318527.tif 000008
【図７】
2006318527.tif 000009
【図８】
2006318527.tif 000010
【図９】
2006318527.tif 000011